(57)【特許請求の範囲】
【請求項１】
家具類の本体（Ｋ）に凹湾曲底面（１１１）を有する中空ケース（１１０）を取り付け前記ケース内中央部に、下降ストッパー用のストッパーフランジ（１３１）を有するロックシャフト（１３０）を上下動可能に且つ下端部を中空ケース（１１０）外に突出可能に装着し、前記中空ケース（１１０）内の凹湾曲底面（１１１）上に転動球（１４０）を前記ストッパーフランジ（１３１）の上下移動域に出入り転動自在に収容した震動感知ロック作動機構（１００）と、家具類における可動体（Ｍ）にストッパーアーム（２１０）の一端部を連結し前記ストッパーアーム（２１０）に前記中空ケース（１１０）外に突出した前記ロックシャフト（１３０）の下端部を収容してストッパーアーム（２１０）の平面作動を阻止する凹陥部（２１２）を設けると共に前記凹陥部（２１２）に収容したロックシャフト（１３０）を押し上げるリセット具を設けた係合連結ロック機構（２００）と、からなる家具類等における可動体のロック装置において、
前記震動感知ロック作動機構（１００）のロックシャフト（１３０）は、有底パイプ状にしこのロックシャフト（１３０）の上端のストッパーフランジ（１３１）をドーナツ型にし、前記ストッパーフランジ（１３１）の少なくとも上端部を磁性金属にし、前記ロックシャフト（１３０）内に当該ロックシャフト（１３０）の上下動を案内するガイドバー（１２０）を挿入しこのガイドバー（１２０）の上端部を前記中空ケース（１１０）の上壁（１１２）中央部に固定し、前記中空ケース（１１０）の上壁（１１２）にスライドバー（１５０）を前後往復作動可能に収容し、前記スライドバー（１５０）の前端部はその後退限位置で上壁（１１２）からその前方に突出し前記ストッパーアーム（２１０）の可動体（Ｍ）との連結部（２１１）の上部に接触可能にし且つ前記ロックシャフト（１３０）のストッパーフランジ（１３１）の直上になる位置に磁石（１５２）を配置し、前記ストッパーアーム（２１０）の可動体（Ｍ）との連結部（２１１）の上部と前記スライドバー（１５０）の前端部の何れか一方に磁石を配置し他方を磁着用の磁性金属体にしたことを特徴とする家具類等における可動体のロック装置。
【請求項２】
家具類の本体（Ｋ）に凹湾曲底面（１１１）を有する中空ケース（１１０）を取り付け前記ケース内中央部に、下降ストッパー用のストッパーフランジ（１３１）を有するロックシャフト（１３０）を上下動可能に且つ下端部を中空ケース（１１０）外に突出可能に装着し、前記中空ケース（１１０）内の凹湾曲底面（１１１）上に転動球（１４０）を前記ストッパーフランジ（１３１）の上下移動域に出入り転動自在に収容した震動感知ロック作動機構（１００）と、家具類における可動体（Ｍ）にストッパーアーム（２１０）の一端部を連結し前記ストッパーアーム（２１０）に前記中空ケース（１１０）外に突出した前記ロックシャフト（１３０）の下端部を収容してストッパーアーム（２１０）の平面作動を阻止する凹陥部（２１２）を設けると共に前記凹陥部（２１２）に収容したロックシャフト（１３０）を押し上げるリセット具を設けた係合連結ロック機構（２００）と、からなる家具類等における可動体のロック装置において、
前記震動感知ロック作動機構（１００）のロックシャフト（１３０）は、有底パイプ状にしこのロックシャフト（１３０）の上端の前記ストッパーフランジ（１３１）をドーナツ型にし、前記ストッパーフランジ（１３１）の少なくとも上端部を磁性金属にし、前記ロックシャフト（１３０）内に当該ロックシャフト（１３０）の上下動を案内するガイドバー（１２０）を挿入しこのガイドバー（１２０）の上端部を前記中空ケース（１１０）の上壁（１１２）中央部に固定し、前記中空ケース（１１０）の上壁（１１２）にスライドバー（１５０）を前後往復作動可能に収容し、前記スライドバー（１５０）の前端部はその後退限位置で上壁（１１２）からその前方に突出し前記ストッパーアーム（２１０）の可動体（Ｍ）との連結部（２１１）の上部に接触可能にし且つ前記ロックシャフト（１３０）のストッパーフランジ（１３１）の直上になる位置に磁石（１５２）を配置し、前記スライドバー（１５０）の後部の後退限位置の後方に、当該スライドバー（１５０）の後退限位置から前進限位置までの領域で当該スライドバー（１５０）に前進力を付与するスプリング（１５５）を収容したことを特徴とする家具類等における可動体のロック装置。
【請求項３】
前記ロックシャフト（１３０）を凹湾曲底面（１１１）を有する有底パイプ状にしこのロックシャフト（１３０）内の凹湾曲底面（１１１）にロック球を転動自在に収容すると共に前記ガイドバー（１２０）の下端中央部に前記ロック球（１３３）が出入り可能に成形した球入れチャンバー（１３４）を設けた請求項１又は請求項２に記載の家具類等における可動体のロック装置。
【請求項４】
前記中空ケース（１１０）の上壁（１１２）の中央上端部に固設した円形蓋（３０１）と、リフトテーブル（３０２）と、小ロック球（３０３）と、リフトテーブル（３０２）の昇降範囲を制限する昇降ガイド（３０４−１、３０４−２）とからなる第２の飛び跳ね高さ制限機構を備え、
前記円形蓋（３０１）は下面を凸湾曲面（３０５）にしその中央部に小ロック球（３０３）を収容可能にした半球状のチャンバー（３０６）を設け、
前記リフトテーブル（３０２）は、下面をフラットな円形にし上面に円形蓋（３０１）の凸湾曲面（３０５）に対面する凹湾曲面（３０７）を形成し、小ロック球（３０３）をこの凹湾曲面（３０７）の上に転動自在に支持すると共に下面の左右に前記スライドバー（１５０）とガイド（１１３）を跨ぎ前記ロックシャフト（１３０）のストッパーフランジ（１３１）の上端面に当接可能にした一対の被ガイド脚（３０８）を垂設し、
前記リフトテーブル（３０２）の昇降ガイドは、円形蓋（３０１）の下方の所定高さの円柱空間ガイドを形成しその底部の左右に前記リフトテーブル（３０２）の被ガイド脚（３０８）の昇降動を案内し中空ケース（１１０）の中空部内のストッパーフランジ（１３１）の上端面の直上に貫通する脚ガイド（３０４−２）を形成してなり、リフトテーブル（３０２）を円柱空間ガイド（３０４−１）の所定高さ範囲内で上下動自在に案内することを特徴とする請求項１又は請求項２に記載の家具類等における可動体のロック装置。
【請求項５】
前記リセット具は、磁石板（２２０）付のスライド引き上げ板（２２１）にした請求項１又は請求項２に記載の家具類等における可動体のロック装置。
【請求項６】
スライドバー（１５０）の前進限位置におけるスライドバー（１５０）の前記磁石（１５２）の到来位置に磁着停止用の磁性金属片（１１３ａ）を配置したことを特徴とする請求項１又は請求項２に記載の家具類等における可動体のロック装置。
【発明の詳細な説明】
【技術分野】
【０００１】  本発明は、洋・和ダンス、書籍収納箱、食器収納箱、工具収容箱等々の家具・什器類（以下単に家具類と称する）に取り付けた扉や引出し等の可動体Ｍが地震時により可動することを自動的にロックし収容物が飛び出し散乱破損すること、近くにいる人や物体に損傷を与えること等を防止する所謂「家具類等における可動体の自動ロック装置」に関するものである。
【背景技術】
【０００２】  例えば食器収容箱の棚前に設けた開閉扉は、扉体の一端をヒンジで枢着し、このヒンジ側には閉方向に作用させたバネを設けて自動的に閉鎖させるバネ式閉止機構や、扉体側に係止片を設け、この係止片と対応させて本体側にクリップ金具を取付け、扉体を閉じると係止片をクリップで挾み込んで係止する係止片−クリップ挟持閉止機構が一般に用いられている。【０００３】  前者のバネ式閉止機構及び係止片−クリップ挟持閉止機構は、いずれも完全なロック機能がないため地震の際、可動体Ｍである開閉扉が開き収納物の飛び出す事故が惹起する。【０００４】  またバネ疲労、クリップ疲労などにより閉止維持機能が劣化し耐久性に問題があり故障し易い。
斯様な実情に鑑み本発明者は、前記各機構の劣化を防止し、地震の際確実な閉止状態を維持するために図９に示す開閉扉等の可動体Ｍの閉止装置を開発して特許（特許第３４８２４３７号と３４８２４３８号）を取得した。【０００５】  図９に示す開閉扉の閉止装置は、戸棚本体１の前面に開閉可能な開閉扉体２と、内部に棚板を配装し、この戸棚本体１内の天板１ａには、開口部３側に係止杆４を出没可能とする係止機構Ａを取付けてある。更に開閉扉体２の内面には、前記係止機構Ａの係止杆４に対応させて係止杆４と掛止する掛止部５ａと係止杆４を係止機構Ａ内に押上げる第１カム部５ｂと、第２カム部５ｃ及びセット位置で係止杆４が落下した時の逃し面５ｄを有した開閉操作板５を取付けて設け、この開閉操作板５は戸棚本体１の内部に向けて張出させてある。【０００６】前記係止機構Ａは、戸棚本体１の天板１ａに取付ける取付け片７ａを設けた環状匣体７と、この匣体７の内部に中央に案内孔７ｂを設けた底板８と、案内孔７ｂと対応して誘導孔７ｃを設けた誘導体９を天板７ａに設けてある。前記底板８には僅かに案内孔７ｂに向けて傾斜させた傾斜面Ｃ１を設け、前記案内孔７ｂと誘導孔７ｃには前記係止杆４を嵌めて上下に可動する時の案内を行うようにしてある。また係止杆４には中間部に前記底板８の傾斜面Ｃ１に対応させて下面に傾斜面Ｃ２を設けたストッパーフランジ板１０を取付けてある。
更に、ストッパーフランジ板１０と前記底板８の間に、前記ストッパーフランジ板１０を受け止める転動可能な鋼球１１を介装させ、前記戸棚本体１が地震等によって揺れた時鋼球１１が傾斜面に沿って転動すると、鋼球１１によって受け止められたストッパーフランジ板１０は鋼球１１から外れて係止杆４を自重により落下するようになっている。【０００７】この時、係止杆４の落下は、係止杆４に対応した下部に位置させた開閉扉体２からの開閉操作板５の上に落下し、開閉扉体２を開くために引くと開閉操作板５に設けた掛止部５ａが係止杆４を掛止して開くことを阻止する。
また開閉扉体２を開く場合は、開閉扉体２を僅かに押して開閉操作板５の掛止部５ａで受け止められた係止杆４の先端を、開閉操作板５に設けた第１カム部５ｂによって匣体７内に押上げる。この時底板８とストッパーフランジ板１０の間が開かれ底板８上の鋼球１１は底板８の傾斜面Ｃ１によって中央部に向けて転動して底板８とストッパーフランジ板１０の間に移動して位置させることができて、係止杆４のストッパーフランジ板１０は鋼球１１によって受けられて係止杆４の落下を阻止する。従って開閉扉体２の開閉は、第１カム部５ｂで押上げられた係止杆４は匣体７内に位置させるので開閉は自由となる。
【発明の概要】
【発明が解決しようとする課題】
【０００８】  前記した開閉扉閉止装置は、鋼球１１が震動によりストッパーフランジ板１０の下方から転動して外れることにより係止杆４を下降作動させ開閉扉を閉止するため、誤作動の発生は極めて少ないが、地震以外の通常の平常時において開閉扉を開閉する時の振動でも鋼球１１が転動してストッパーフランジ板１０の下方から外れて係止杆４を落下させ扉を閉止状態のままにする誤動作が惹起する。【０００９】  また地震が始まり鋼球１１の転動により鋼球１１がストッパーフランジ板１０の下方から外れて係止杆４が落下して扉を閉止状態にしても、地震の継続中に震動で係止杆４が大きく上下動すると鋼球１１が係止杆４のストッパーフランジ板１０の下方に入り込み挟まれる状態が発生し扉の閉止状態を解除してしまう誤動作を惹起してしまうことがある。
本発明は、これらの扉閉止中における係止杆４の上下動による誤動作を確実に防止する装置を提供するものである。本発明は開閉扉に限らず、家具類に取り付けた引出し等の可動体Ｍが地震時により開閉可動や飛び出し可動することをその初期微動時に自動的にロックすることが出来るため、発明の名称を家具類等における可動体のロック装置と称するのである。
【課題を解決するための手段】
【００１０】  本発明は前記の課題を全て満足するものであり、その特徴とするところを各実施例を示す図１〜図８の図面と共に説明すれば次の（１）〜（５）の通りである。【００１１】（１）、家具類の本体に凹湾曲底面１１１を有する中空ケース１１０を取り付け前記ケース内中央部に、下降ストッパー用のストッパーフランジ１３１を有するロックシャフト１３０を上下動可能に且つ下端部を中空ケース１１０外に突出可能に装着し、前記中空ケース１１０内の凹湾曲底面１１１上に転動球１４０を前記ストッパーフランジ１３１の上下移動域に出入り転動自在に収容した震動感知ロック作動機構１００と、家具類における可動体Ｍにストッパーアーム２１０の一端部を連結し前記ストッパーアーム２１０に前記中空ケース１１０外に突出した前記ロックシャフト１３０の下端部を収容してストッパーアーム２１０の平面作動を阻止するロック用凹陥部２１２を設けると共に前記ロック用凹陥部２１２に収容したロックシャフト１３０を押し上げるリセット具を設けた係合連結ロック機構と、からなる家具類等における可動体のロック装置において、
前記震動感知ロック作動機構１００のロックシャフト１３０は、有底パイプ状にしこのロックシャフト１３０の上端のストッパーフランジ１３１をドーナツ型にし、前記ストッパーフランジ１３１の少なくとも上端部を磁性金属にし、前記ロックシャフト１３０内に当該ロックシャフト１３０の上下動を案内するガイドバー１２０を挿入しこのガイドバー１２０の上端部を前記中空ケース１１０の上壁１１２中央部に固定し、前記中空ケース１１０の上壁１１２にスライドバー１５０を前後往復作動可能に収容し、前記スライドバー１５０の前端部はその後退限位置で上壁１１２からその前方に突出し前記ストッパーアーム２１０の可動体Ｍとの連結部２１１の上部に接触可能にし且つ前記ロックシャフト１３０のストッパーフランジ１３１の直上になる位置に磁石を配置し、前記ストッパーアーム２１０の可動体Ｍとの連結部２１１の上部と、前記スライドバー１５０の前端部の、何れか一方に磁石を配置し他方を磁着用の磁性金属体にしたことを特徴とする家具類等における可動体のロック装置。【００１２】（２）、家具類の本体に凹湾曲底面１１１を有する中空ケース１１０を取り付け前記ケース内中央部に、下降ストッパー用のストッパーフランジ１３１を有するロックシャフト１３０を上下動可能に且つ下端部を中空ケース１１０外に突出可能に装着し、前記中空ケース１１０内の凹湾曲底面１１１上に転動球１４０を前記ストッパーフランジ１３１の上下移動域に出入り転動自在に収容した震動感知ロック作動機構１００と、家具類における可動体Ｍにストッパーアーム２１０の一端部を連結し前記ストッパーアーム２１０に前記中空ケース１１０外に突出した前記ロックシャフト１３０の下端部を収容してストッパーアーム２１０の平面作動を阻止するロック用凹陥部２１２を設けると共に前記ロック用凹陥部２１２に収容したロックシャフト１３０を押し上げるリセット具を設けた係合連結ロック機構と、からなる家具類等における可動体のロック装置において、
前記震動感知ロック作動機構１００のロックシャフト１３０は、有底パイプ状にしこのロックシャフト１３０の上端のストッパーフランジ１３１をドーナツ型にし、前記ストッパーフランジ１３１の少なくとも上端部を磁性金属にし、前記ロックシャフト１３０内に当該ロックシャフト１３０の上下動を案内するガイドバー１２０を挿入しこのガイドバー１２０の上端部を前記中空ケース１１０の上壁１１２中央部に固定し、前記中空ケース１１０の上壁１１２にスライドバー１５０を前後往復作動可能に収容し、前記スライドバー１５０の前端部はその後退限位置で上壁１１２からその前方に突出して前記ストッパーアーム２１０の可動体Ｍとの連結部２１１の上部に接触可能にすると共に前記ロックシャフト１３０のストッパーフランジ１３１の直上になる位置に磁石を配置し、前記スライドバー１５０の後部の後退限位置の後方に、当該スライドバー１５０の後退限位置から前進限位置までの領域で当該スライドバー１５０に前進力を付与するスプリング１５５を収容したことを特徴とする家具類等における可動体のロック装置。【００１３】（３）、前記ロックシャフト１３０を小凹湾曲底面１３２を有する有底パイプ状にしこのロックシャフト１３０内の小凹湾曲底面１３２にロック球１３３を転動自在に収容すると共に前記ガイドバー１２０の下端中央部に前記ロック球１３３が出入り可能に成形した球入れチャンバー１３４を設けてなる第一の飛び跳ね高さ制限機構を備えたことを特徴とする前記（１）又は（２）に記載の家具類等における可動体のロック装置。【００１４】（４）、中空ケース１１０の上壁１１２の中央上端部に固設した円形蓋３０１と、リフトテーブル３０２と、小ロック球３０３と、リフトテーブル３０２の昇降範囲を制限する昇降ガイド（３０４−１、３０４−２）とからなる第２の飛び跳ね高さ制限機構を備え、
前記円形蓋３０１は下面を凸湾曲面３０５にしその中央部に小ロック球３０３を収容可能にした半球状のチャンバー３０６を設け、
前記リフトテーブル３０２は、下面をフラットな円形にし上面に円形蓋３０１の凸湾曲面３０５に対面する凹湾曲面３０７を形成し、小ロック球３０３をこの凹湾曲面３０７の上に転動自在に支持すると共に下面の左右に前記スライドバー１５０とそのガイド１１３を跨ぎ前記ロックシャフト１３０のストッパーフランジ１３１の上端面に当接可能にした一対の被ガイド脚３０８を垂設し、
前記リフトテーブル３０２の昇降ガイドは、円形蓋３０１の下方の所定高さの円柱空間ガイド３０４−１を形成しその底部の左右に前記リフトテーブル３０２の被ガイド脚３０８の昇降動を案内し中空ケース１１０の中空部内のストッパーフランジ１３１の上端面の直上に貫通する脚ガイド３０４−２を形成してなり、リフトテーブル３０２を円柱空間ガイドの所定高さ範囲内で上下動自在に案内することを特徴とする前記（１）又は（２）に記載の家具類等における可動体のロック装置。【００１５】（５）、前記リセット具は、磁石板２２０付スライド引き上げ板２２１にしたことを特徴とする前記（１）又は（２）に記載の家具類等における可動体のロック装置。【００１６】（６）、スライドバー１５０の前進限位置におけるスライドバー１５０の前記磁石１５２の到来位置に磁着停止用の磁性金属片１１３ａを配置したことを特徴とする前記（１）又は（２）に記載の家具類等における可動体のロック装置。
【発明の効果】
【００１７】  本発明の家具類等における可動体Ｍのロック装置は、洋・和ダンス、書籍収納箱、食器収納箱等々の家具類に取り付けた扉や引出し等の可動体Ｍが地震時により不意に開閉や飛び出し可動することを地震感知直と同時に瞬時に自動的にロックし収容物が飛び出し散乱破損すること、及び近くにいる人や物体に損傷を与えること等を防止するものである。
即ち本発明の家具類等における可動体Ｍのロック装置は、次のように優れた作用効果を呈するものである。【００１８】（１）、地震以外の通常の平常時の可動体Ｍ閉止状態においては、前記スライドバー１５０がストッパーアーム２１０により後退限位置で停止していて、付設した磁石１５２によりロックシャフト１３０を磁気吸引して持ち上げ、転動球１４０をフリーな状態にしておき、可動体Ｍと共にストッパーアーム２１０を開状態にするとスライドバー１５０が所定量前進してロックシャフト１３０の磁気吸引を解除して下降させてそのストッパーフランジ１３１で転動球１４０を押さえて安定させ誤作動を防止するのである。【００１９】（２）、地震の際は、閉止状態の可動体Ｍと共にストッパーアーム２１０が震動で開方向に微動すると前記スライドバー１５０を所定微量前進させて付設磁石１５２によるロックシャフト１３０の磁気吸着を外し下降させる条件と、転動球１４０が震動で転動しストッパーフランジ１３１下方から離脱している条件とにより、ロックシャフト１３０の下端部をストッパーアーム２１０のロック用凹陥部２１２に落下収容して可動体Ｍと共に開作動初期微動のストッパーアーム２１０の平面作動をロックするのである。【００２０】（３）、前記（１）及び（２）のいずれの場合も、スライドバー１５０の前進作動は、可動体Ｍの開作動によるストッパーアーム２１０との離間による前記スプリング１５５の押し出し力により行うか、又はストッパーアーム２１０とスライドバー１５０先端部との磁着牽引動作で行い、スライドバー１５０の後進作動は、可動体Ｍの閉作動によるストッパーアーム２１０からスライドバー１５０先端部への押し込み力で行うものであり、この簡易な機構で前記（１）及び（２）の条件を確実に作り出す（設定する）ものである。【００２１】（４）、地震中に自動ロック状態になった前記ロックシャフト１３０とストッパーアーム２１０との関係が、継続する震動でロックシャフト１３０が上下動しストッパーアーム２１０のロック用凹陥部２１２内で大きく浮き上がっても、その上限を前記第１の飛び跳ね高さ制限機構又は第１の飛び跳ね高さ制限機構により制限して、ロックシャフト１３０の下端部がストッパーアーム２１０のロック用凹陥部２１２から外れず且つストッパーフランジ１３１下方に転動球１４０が入り込むことを確実に阻止するため、ストッパーアーム２１０の平面作動のロック状態を確実に継続維持するのである。【００２２】（５）、前記リセット具は、磁石付スライド引き上げ板２２１にしたので、震動停止後に、可動体Ｍとともにストパーアーム２１０を正常な閉止状態に戻す操作により、ロックシャフト１３０の下端部に、磁石付のスライド引上板２２１の磁石板２２０に磁着させた状態を維持してスライド引上板２２１がリセット用カム２１３の斜面に沿って容易に斜め上昇移動しロックシャフト１３０をガイドバー１２０に沿って上昇移動させる。これと併行してスライドバー１５０が後退限位置に移動しその付設磁石１５２がロックシャフト１３０のストッパーフランジ１３１直上に到来するので、上昇移動してきたロックシャフト１３０のストッパーフランジ１３１を磁着吸引して中空ケース１１０の上壁１１２中央部に当接して地震前の初期の状態に復元されるのである。
【図面の簡単な説明】
【００２３】
【図１】本発明の実施例１を示す説明図である。
【図２】本発明の実施例２を示す説明図である。
【図３】本発明の実施例１に地震中のロックシャフト１３０第１の飛び跳ね高さ制限機構を付加した実施例３を示す説明図である。
【図４】本発明の実施例２に地震中のロックシャフト１３０の第１の飛び跳ね高さ制限機構を付加した実施例４を示す説明図である。
【図５】本発明の実施例１又は実施例２のストッパーアーム２１０にリセット具として磁石付スライド引き上げ板を設けた実施例５を示す説明図である。
【図６】本発明の実施例３又は実施例４のストッパーアーム２１０にリセット具として磁石付スライド引き上げ板を設けた実施例６を示す説明図である。
【図７】本発明の実施例２に地震中のロックシャフト１３０の第２の飛び跳ね高さ制限機構を付加した実施例７を示す説明図である。
【図８】本発明の実施例１のロック状態にある全体を示すモデルの接写鳥瞰図（１）と実施例２のロック状態にある全体を示すモデルの接写鳥瞰図（２）である。
【図９】本発明者が開発し本発明の前提条件とする従来型の「開閉扉等の可動体Ｍの閉止装置」を示す断面説明図である。
【発明を実施するための形態】
【００２４】  本発明を実施するための形態を後述の実施例１〜実施例６と共に詳細に説明する。
【実施例１】
【００２５】  実施例１を図１に示す。
図１において、（１）は地震発生前の状態を示し、（２）は（１）の矢視Ａ−Ａからの断面図を示し、（３）は（１）の状態から可動体Ｍの通常の開閉又は引出初期の状態を示し、（４）は（２）の矢視Ｂ−Ｂからの断面図を示し、（５）は地震発生時に、可動体Ｍの開閉又は引出しの初期微動と共動したストッパーアーム２１０で磁力牽引され前進限位置に到来しスライドバー１５０と、これでスライドバー１５０の磁石１５２による磁着を解除されたロックシャフト１３０が地震で転動している転動球１４０に障害なく下降しその下端部が中空ケース１１０の穴から外に突出してストッパーアーム２１０のロック用凹陥部２１２に収容されてストッパーアーム２１０の平面作動と可動体Ｍの開閉又は引出動作を阻止している状態を示し、（６）は地震が治まった後に前記（１）の状態にリセットする初期過程を示す説明図である。【００２６】図１において、家具類等における可動体Ｍのロック装置は、家具類の本体Ｋに取り付ける震動感知ロック作動機構１００と、家具類における可動体Ｍに取り付ける係合連結ロック機構２００とからなる。【００２７】  震動感知ロック作動機構１００は、凹湾曲底面１１１を有する硬質樹脂製の中空ケース１１０と、中空ケース１１０内上壁１１２の中央部に上端を固定した硬質樹脂製のガイドバー１２０と、磁性金属のロックシャフト１３０と、磁性又は非磁性の転動球１４０と、磁性金属製のスライドバー１５０とからなる。ロックシャフト１３０は、有底パイプ状にしこの上端にドーナツ型の磁性金属製のストッパーフランジ１３１を有し上下動を案内する前記ガイドバー１２０を挿入し下端部を中空ケース１１０の凹湾曲底面１１１の中央部の穴１１１ａから突出可能にしてある。転動球１４０は、中空ケース１１０内の凹湾曲底面１１１上に転動自在に収容し前記ストッパーフランジ１３１の上下移動域に出入り可能にしてある。スライドバー１５０は、前記中空ケース１１０の上壁１１２内に形成したガイド１１３に前後摺動可能に収容され先端が前記ストッパーアーム２１０の連結部２１１の可動方向（：矢印ａ）に突出し突出部に鍵型の磁着接触部１５１を形成してある。【００２８】スライドバー１５０は、前記可動体Ｍと併動するストッパーアーム２１０の連結部２１１の可動方向（：矢印ａ）に所定距離を前後往復作動可能に設け、後退限位置でその前端部がストッパーアーム２１０の連結部２１１の上部に接触可能にし、その後退限位置で前記ロックシャフト１３０のストッパーフランジ１３１の直上になる位置に磁石１５２を配置してある。
中空ケース１１０の上壁１１２内のスライドバー１５０のガイド１１３部には、図１の（３）に示すように、スライドバー１５０の前進限位置におけるスライドバー１５０の前記磁石１５２の到来位置に磁着停止用の磁性金属片１１３ａを配置してもよい。【００２９】  係合連結ロック機構２００は、一端部に家具類における可動体Ｍに連結する連結部２１１を有するストッパーアーム２１０と、ストッパーアーム２１０に設けられ前記中空ケース１１０中央部下端の穴１１１ａから外に突出した前記ロックシャフト１３０の下端部を収容してストッパーアーム２１０の平面作動を阻止するロック用凹陥部２１２と、前記ロック用凹陥部２１２に収容したロックシャフト１３０を押し上げるリセット具と、ストッパーアーム２１０の連結部２１１の上部に設けられスライドバー１５０の鍵型磁着接触部１５１への磁着牽引用の磁石２１４とからなる。
この磁着牽引用の磁石２１４を磁性体にした場合には前記スライドバー１５０の前端部には磁石を配置することになる。【００３０】ストッパーアーム２１０のリセット具は、ロック用凹陥部２１２の斜面をリセット用カム２１３とするもので、ロックシャフト１３０の下端部を、ロック用凹陥部２１２から容易に脱出させるものであり、ストッパーアーム２１０を元に押し込むことにより、ロックシャフト１３０の下端部をリセット用カム２１３の斜面に沿って押し上げ摺動させることと、これと同時にストッパーアーム２１０の前記磁石２１４で押されて後退限位置に到来のスライドバー１５０の磁石１５２によりロックシャフト１３０のストッパーフランジ１３１が磁力吸引されて上昇移動し元のスタティック状態に復帰する。
以下の実施例２〜実施例４も同様な機能のリセット用カム２１３を設置してある。【００３１】  図８の（１）には、本実施例１の家具類等における可動体Ｍのロック装置の震動感知ロック作動機構１００と、係合連結ロック機構２００による可動体Ｍのロック状態の全体を示すモデルの接写鳥瞰写真を紹介する。【００３２】  かくして、地震以外の通常の平常時の可動体Ｍ閉止状態においては、前記スライドバー１５０がストッパーアーム２１０により後退限位置で停止していて、付設した磁石１５２によりロックシャフト１３０を磁気吸引して持ち上げ、転動球１４０をフリーな状態にしておき、可動体Ｍと共にストッパーアーム２１０を開状態にするとスライドバー１５０が所定量前進してロックシャフト１３０の磁気吸引を解除して下降させてそのストッパーフランジ１３１で転動球１４０を押さえて安定させ誤作動を防止するのである。【００３３】  また地震の際は、閉止状態の可動体Ｍと共にストッパーアーム２１０が震動で開方向に微動すると前記スライドバー１５０を所定微量前進させて付設磁石１５２によるロックシャフト１３０の磁気吸着を外し下降させる条件と、転動球１４０が震動で転動しストッパーフランジ１３１下方から離脱している条件とにより、ロックシャフト１３０の下端部をストッパーアーム２１０のロック用凹陥部２１２に落下収容して可動体Ｍと共に開作動初期微動のストッパーアーム２１０の平面作動を確実にロック保持するのである。【００３４】そして、このような作用効果は、スライドバー１５０の前進作動を、可動体Ｍの開作動によるストッパーアーム２１０とスライドバー１５０先端部との磁着牽引動作で行い、スライドバー１５０の後進作動は、可動体Ｍの閉作動によるストッパーアーム２１０の連結部２１１からスライドバー１５０先端部への押し込み力で行うという簡易な機構で確実に得られるものである。
【実施例２】
【００３５】  実施例２を図２に示す。
図２において（１）は地震発生前の状態を示し、（２）は（１）の矢視Ｃ−Ｃからの断面図を示し、（３）は（１）の状態から可動体Ｍの通常の開閉又は引出初期の状態を示し、（４）は（３）の矢視Ｄ−Ｄからの断面図を示し、（５）は地震発生時に、可動体Ｍの開閉又は引出しの初期微動と共動したストッパーアーム２１０とスプリング１５５で前進限位置に到来したスライドバー１５０と、これでスライドバー１５０の磁石１５２による磁着を解除されたロックシャフト１３０が地震で転動している転動球１４０に障害なく下降しその下端部が中空ケース１１０外に突出してストッパーアーム２１０のロック用凹陥部２１２に収容されてストッパーアーム２１０の平面作動と可動体Ｍの開閉又は引出動作を阻止している状態を示し、（６）は地震が治まった後に（１）の状態にリセットする初期過程を示す説明図である。【００３６】  実施例２の実施例１との相違は、震動感知ロック作動機構１００において中空ケース１１０への硬質樹脂製のスライドバー１５０とその収容構成であり、この相違を中心に説明し、その他の構成は実施例１と同一のため詳細な説明は省略する。
図２において、家具類等における可動体Ｍのロック装置は、家具類の本体に取り付ける震動感知ロック作動機構１００と、家具類における可動体Ｍに取り付ける係合連結ロック機構２００からなる。【００３７】震動感知ロック作動機構１００におけるスライドバー１５０は、前記可動体Ｍの可動方向に所定距離を前後往復作動可能に設け、後退限位置でその前端部がストッパーアーム２１０の当接部材２１１ｈに接触可能にし、その後退限位置で前記ロックシャフト１３０のストッパーフランジ１３１の直上になる位置に磁石１５２を配置してある。【００３８】中空ケース１１０において、前記スライドバー１５０の後部の後退限位置の後方には、当該スライドバー１５０の後退限位置から前進限位置までの領域で当該スライドバー１５０に前進力を付与するスプリング１５５を収容してある。
中空ケース１１０のスライドバー１５０ガイド部には、図２（３）に示すように、スライドバー１５０の前進限位置におけるスライドバー１５０の前記磁石１５２の到来位置に磁着停止用の磁性金属片１１３ａを配置してもよい。【００３９】  係合連結ロック機構２００は、一端部の連結部２１１を家具類における可動体Ｍに片支持状態で連結したストッパーアーム２１０と、ストッパーアーム２１０に設けられ前記中空ケース１１０中央部下端から外に突出した前記ロックシャフト１３０の下端部を収容してストッパーアーム２１０の平面作動を阻止するロック用凹陥部２１２と、前記ロック用凹陥部２１２に収容したロックシャフト１３０を押し上げるリセット具と、ストッパーアーム２１０の連結部２１１の上部に設けられスライドバー１５０の先端突出部への当接部材２１１ｈとからなる。
図８の（２）には、家具類等における可動体Ｍのロック装置の震動感知ロック作動機構１００と、係合連結ロック機構２００による可動体Ｍのロック状態の全体を示すモデルの接写鳥瞰写真を紹介する。【００４０】  ストッパーアーム２１０のリセット具は、図２（６）に示すように、実施例１と同様に、ロック用凹陥部２１２の斜面をリセット用カム２１３とするもので、ロックシャフト１３０の下端部を、ロック用凹陥部２１２から容易に脱出させるものであり、ストッパーアーム２１０を元に押し込むことにより、ロックシャフト１３０の下端部をリセット用カム２１３の斜面に沿って押し上げ摺動させることと、これと同時に後退限位置に到来のスライドバー１５０の磁石１５２によりロックシャフト１３０のストッパーフランジ１３１が磁力吸引されて上昇移動し元のスタティック状態に復帰する。【００４１】かくして、地震以外の通常の平常時の可動体Ｍ閉止状態においては、図２（１）に示すように前記スライドバー１５０がストッパーアーム２１０により押し込まれて後退限位置で停止していて、付設した磁石１５２によりロックシャフト１３０を磁気吸引して持ち上げ固定して転動球１４０をフリーな状態にしておく。そして図２（３）に示すように可動体Ｍの開状態と共にストッパーアーム２１０を作動させるとスライドバー１５０が所定量前進してロックシャフト１３０は磁石１５２による磁気吸引が解除され下降するが、そのストッパーフランジ１３１で転動球１４０を押さえて安定させ誤作動を防止するのである。【００４２】また地震の際は、図２（５）に示すように、閉止状態の可動体Ｍと共にストッパーアーム２１０が震動で開方向に微動すると前記スライドバー１５０を所定微量前進させて付設磁石１５２によるロックシャフト１３０のストッパーフランジ１３１の磁気吸着を解除して下降させる条件と、転動球１４０が震動で転動しストッパーフランジ１３１下方から離脱している条件とにより、ロックシャフト１３０は下端部をストッパーアーム２１０のロック用凹陥部２１２に落下収容されて可動体Ｍと共に開作動初期微動のストッパーアーム２１０の平面作動をロックするのである。【００４３】  そしてこのような作用効果は、スライドバー１５０の前進作動が、可動体Ｍの開作動によるストッパーアーム２１０の当接部材２１１ｈとの離間による前記スプリング１５５の押し出し力により行い、スライドバー１５０の後進作動が、可動体Ｍの閉作動によるストッパーアーム２１０の当接部材２１１ｈからスライドバー１５０先端部への押し込み力で行うという簡易な機構で確実に得られるものである。
地震が治まれば図２（６）に示すようにストッパーアーム２１０を元の状態に戻せば前例同様に全てが自動的に復帰する。
【実施例３】
【００４４】  実施例３は、図３に示し、実施例１に、地震中のロックシャフト１３０の第１の飛び跳ね高さ制限機構を付加したものであり、実施例１に記載の基本構成とその作用効果は省略する。
図３において（１）は地震発生前の状態を示し、（２）は地震発生時に、可動体Ｍの開閉又は引出しの初期微動と共動したストッパーアーム２１０の磁石２１４で磁着牽引され前進限位置に到来したスライドバー１５０と、これでスライドバー１５０の磁石１５２による磁着を解除されたロックシャフト１３０が地震で転動している転動球１４０に障害なく下降しその下端部が中空ケース１１０外に突出してストッパーアーム２１０のロック用凹陥部２１２に収容されてストッパーアーム２１０の平面作動と可動体Ｍの開閉又は引出動作を阻止している状態を示し、（３）は地震発生中にロックシャフト１３０が上に大きく飛び上がっても第１の飛び跳ね高さ制限機構によりロックシャフト１３０の下端部がストッパーアーム２１０のロック用凹陥部２１２から外れない仕組みの説明図である。【００４５】ロックシャフト１３０の第１の飛び跳ね高さ制限機構は、前記ロックシャフト１３０を小凹湾曲底面１３２を有する有底パイプ状にしこのロックシャフト１３０内の小凹湾曲底面１３２にロック球１３３を転動自在に収容すると共に前記ガイドバー１２０の下端中央部に前記ロック球１３３が出入り可能に成形した球入れチャンバー１３４を設けたものである。
ストッパーアーム２１０のリセット具は実施例１及び実施例２と同様のリセット用カム２１３で行うものであり詳細な説明は省略する。【００４６】かくして、地震中に自動ロック状態になった前記ロックシャフト１３０とストッパーアーム２１０との関係において、継続する震動でロックシャフト１３０が上下動しストッパーアーム２１０のロック用凹陥部２１２内で大きく浮き上がっても、その上限は、ロックシャフト１３０の小凹湾曲底面１３２を転動中のロック球１３３と、ガイドバー１２０の球入れチャンバー１３４周囲下面との当接により決定され、これでロックシャフト１３０の下端部がストッパーアーム２１０のロック用凹陥部２１２から外れず且つストッパーフランジ１３１下方に転動球１４０が入り込むことを阻止するため、ストッパーアーム２１０の平面作動のロック状態を確実に維持するのである。
【実施例４】
【００４７】  実施例４は、図４に示し、実施例２に、実施例３と同様な地震中のロックシャフト１３０第１の飛び跳ね高さ制限機構を付加したものであり、実施例２に記載の基本構成とその作用効果は省略する。
図４において（１）は地震発生前の状態を示し、（２）は地震発生時に、可動体Ｍの開閉又は引出しの初期微動と共動したストッパーアーム２１０の当接部材２１１ｈとの離間によるスプリング１５５の力で前進限位置に到来したスライドバー１５０と、これでスライドバー１５０の磁石１５２による磁着を解除されたロックシャフト１３０が地震で転動している転動球１４０に障害なく下降しその下端部が中空ケース１１０外に突出してストッパーアーム２１０のロック用凹陥部２１２に収容されてストッパーアーム２１０の平面作動と可動体Ｍの開閉又は引出動作を阻止している状態を示し、（３）は地震発生中にロックシャフト１３０が上に大きく飛び上がっても第１の飛び跳ね高さ制限機構によりロックシャフト１３０の下端部がストッパーアーム２１０のロック用凹陥部２１２から外れない仕組みの説明図である。【００４８】ロックシャフト１３０の第１の飛び跳ね高さ制限機構は、実施例３と同様に、前記ロックシャフト１３０を凹湾曲底面１３２を有する有底パイプ状にしこのロックシャフト１３０内の小凹湾曲底面１３２にロック球１３３を転動自在に収容すると共に前記ガイドバー１２０の下端中央部に前記ロック球１３３が出入り可能に成形した球入れチャンバー１３４を設けたものである。
【実施例５】
【００４９】実施例５は、図５に示し、先端部まで磁性金属にした実施例１又は実施例２のストッパーアーム２１０にリセット具として磁石板２２０付のスライド引き上げ板２２１を設けたものである。
図５において、ストッパーアーム２１０のロック用凹陥部２１２のリセット用カム２１３の斜面に沿ってスライド自在に磁石板２２０付のスライド引き上げ板（：磁着可動板）２２１を設けて、リセット前の状態を（１）に示し、リセット中の状態を（２）に示す。【００５０】磁石板２２０付のスライド引き上げ板２２１は、磁性金属にしたロックシャフト１３０の下端部を、ロック用凹陥部２１２から容易に脱出させるものであり、ストッパーアーム２１０を元の位置に押し込むことにより、ロックシャフト１３０の下端部に磁石板２２０を磁着させた状態でスライド引き上げ板２２１をリセット用カム２１３の斜面に沿って押し上げ、この後スライドバー１５０の磁石１５２による磁着吸引上昇作用に連携し元の状態にするのである。
この際、磁石板２２０の磁力は、ロックシャフト１３０のストッパーフランジ１３１を磁着吸引するスライドバー１５０の磁石１５２の磁力より遥かに小さくすることが条件となり実施例６においても同様である。
【実施例６】
【００５１】  実施例６は、図６に示し、先端部まで磁性金属にした実施例３又は実施例４のストッパーアーム２１０にリセット具として実施例５と同一構造の磁石板２２０付のスライド引き上げ板２２１を設けたものである。
図６において、ストッパーアーム２１０のロック用凹陥部２１２の斜面にリセット具として磁石板２２０付スライド引き上げ板（：磁着）２２１を設けて、リセット前の状態を（１）に示し、リセット中の状態を（２）に示す。
磁石板２２０付のスライド引き上げ板２２１は、実施例５と同様に、磁性金属にしたロックシャフト１３０の下端部を、ロック用凹陥部２１２から容易に脱出させるものであり、ストッパーアーム２１０を元の位置に押し込むことにより、ロックシャフト１３０の下端部に磁石板２２０を磁着させた状態でスライド引き上げ板２２１をリセット用カム２１３の斜面に沿って簡単に押し上げ、この後スライドバー１５０の磁石１５２による磁着吸引上昇作用に連携し元の状態にするのである。
【実施例７】
【００５２】  実施例７は、図７に示し、実施例２に、地震中のロックシャフト１３０の第２の飛び跳ね高さ制限機構を付加したものであり、実施例２に記載の基本構成とその作用効果の詳説は省略する。そして同一部品は同一符号を付してある。更に、実施例１にも同様に適用することは勿論である。【００５３】  図７において（１）は（２）の矢視Ｂ−Ｂからの断面図を示し地震発生前の状態を示すが部品に一部を鳥瞰図で併記してある。  （２）は（１）の矢視Ａ−Ａからの断面図を示し、（３）は（１）の状態から可動体Ｍの通常の開閉又は引出初期の状態を示し、（４）は地震発生時に、可動体Ｍの開閉又は引出しの初期微動と共動したストッパーアーム２１０の当接部材２１１ｈとの離間によるスプリング１５５の力で前進限位置に到来したスライドバー１５０の磁石１５２による磁着を解除されたロックシャフト１３０が地震で転動している転動球１４０に障害なく下降しその下端部が中空ケース１１０外に突出してストッパーアーム２１０のロック用凹陥部２１２に収容されてストッパーアーム２１０の平面作動と可動体Ｍの開閉又は引出動作を阻止している状態を示し、（５）は地震発生中にロックシャフト１３０が上に大きく飛び上がろうとしても第２の飛び跳ね高さ制限機構により、ロックシャフトの下端部がストッパーアーム２１０のロック用凹陥部２１２から外れない状態に阻止する仕組の説明図である。【００５４】ロックシャフト１３０の第２の飛び跳ね高さ制限機構は、中空ケース１１０の上壁１１２の中央上端部に固設した円形蓋３０１と、リフトテーブル３０２と、小ロック球３０３と、リフトテーブル３０２の昇降範囲を制限する昇降ガイド（３０４−１、３０４−２）とからなる。
円形蓋３０１は下面を凸湾曲面３０５にしその中央部に小ロック球３０３を収容可能にした（：ロック球１３３の逃げ込み収容を可能にした）半球状のチャンバー３０６を設けてある。
リフトテーブル３０２は、下面をフラットな円形にし上面に円形蓋３０１の凸湾曲面３０５に対面する凹湾曲面３０７を形成し、小ロック球３０３をこの凹湾曲面３０７の上に転動自在に支持すると共に下面の左右に前記スライドバー１５０とガイド１１３を跨ぐ形式の一対の被ガイド脚３０８を垂設してある。
リフトテーブル３０２の昇降ガイドは、円形蓋３０１の下方の所定高さの円柱空間ガイド３０４−１を形成しその底部の左右に前記リフトテーブル３０２の被ガイド脚３０８の昇降動を案内し、中空ケース１１０の中空部内のストッパーフランジ１３１の上端面の直上に貫通する脚ガイド３０４−２を形成してなり、リフトテーブル３０２を円柱空間ガイドの所定高さ範囲内で上下動自在に案内する。【００５５】リフトテーブル３０２は、地震の無い平常時は、被ガイド脚３０４−２を介して、スライドバー１５０の磁石１５２により磁着吸引されたり、それを解除されて昇降作動するロックシャフト１３０のストッパーフランジ１３１と共に昇降作動する。【００５６】この地震の無い平常時で可動体Ｍの閉止状態のときのリフトテーブル３０２は、図８の（１）と（２）に示すように、円柱空間ガイド３０４−１内において、円形蓋３０１のチャンバー３０６内に小ロック球３０３を収容した状態の最上限位置にある。【００５７】また地震の無い平常時で可動体Ｍの開状態のときのリフトテーブル３０２は、図８の（３）に示すように、スライドバー１５０の磁石１５２移動による磁着吸引の解除によりロックシャフト１３０と共に下降するが、転動球１４０がストッパーフランジ１３１の下方に停止しているためリフトテーブル３０２の下降作動はこれで中断され、円柱空間ガイド３０４−１内の中間位置に置かれる。【００５８】そして一旦地震が発生すると図８の（４）に示すように、転動球１４０がストッパーフランジ１３１の下方から飛び出すためロックシャフト１３０は下降して、その下端部がストッパーアーム２１０のロック用凹陥部２１２内に収容されてストッパーアーム２１０の平面作動を制止する。
このときリフトテーブル３０２は、円柱空間ガイド３０４−１の最下端位置で下降停止し、被ガイド脚３０４−２の下端とストッパーフランジ１３１上面とは所定距離離間される。【００５９】かくして、地震中に自動ロック状態になった前記ロックシャフト１３０とストッパーアーム２１０との関係において、継続する震動でロックシャフト１３０が上下動しストッパーアーム２１０のロック用凹陥部２１２内から大きく浮き上がろうとした際、その上昇途中で、図７の（５）に示すように、ストッパーフランジ１３１の上端面がリフトテーブル３０２の被ガイド脚３０４−２に当接してリフトテーブル３０２を上昇移動させるが、上昇移動中のリフトテーブル３０２の凹湾曲面３０７は、凹湾曲面３０７を地震で転動しチャンバー３０６下方から外れている小ロック球３０３を、円形蓋３０１のチャンバー３０６周囲面とにより挟んで停止する。【００６０】この地震中の停止位置がロックシャフト１３０の下端部の上昇限位置となり、且つロックシャフト１３０の下端部の下降限位置は中空ケース内の凹湾曲底面１１１を転動中の転動球１４０がストッパーフランジ１３１の下方域に入り込むことを阻止しているため自由に下降するのでロック用凹陥部２１２の底面位置となる。即ち、地震中のロックシャフト１３０は、この上下限位置の高さ範囲内で昇降作動が拘束されるのである。
このため地震中のロックシャフト１３０の下端部位置はストッパーアーム２１０のロック用凹陥部２１２から外れることが無く、ストッパーアーム２１０の平面作動のロック状態を確実に維持するのである。
【産業上の利用可能性】
【００６１】  本発明の家具類等における可動体Ｍのロック装置は、前述した発明の効果及び各実施例に記載の優れた作用効果を呈するものであり、一般家庭は勿論、各種事務所、工場などにおける家具類、什器等を取り扱う産業界に多大な貢献をもたらすものである。
【符号の説明】
【００６２】Ｋ家具類の本体                          １５５：スプリング
Ｍ：可動体Ｍ                            ２００：係合連結ロック機構
Ａ：可動方向                            ２１０：ストッパーアーム
１００：震動感知ロック作動機構          ２１１：連結部
１１０：中空ケース                      ２１１ｈ：当接部材
１１１：凹湾曲底面                      ２１２：ロック用凹陥部
１１１ａ：穴                            ２１３：リセット用カム
１１２：上壁                            ２１４：磁石
１１３：ガイド                          ２２０：磁石板
１１３ａ：磁着停止用の磁性金属片        ２２１：スライド引き上げ板
１２０：ガイドバー                      ３０１：円形蓋
１３０：ロックシャフト                  ３０２：リフトテーブル
１３１：ストッパーフランジ              ３０３：ロック球
１３２：小凹湾曲底面                      （３０４−１、３０４−２）：昇降ガイド
１３３：ロック球                        ３０４−１：円柱空間ガイド
１３４：球入れチャンバー                ３０４−２：脚ガイド
１４０：転動球                          ３０５：凸湾曲面
１５０：スライドバー                    ３０６：チャンバー
１５１：磁着接触部                      ３０７：凹湾曲面
１５２：磁石                            ３０８：被ガイド脚
【要約】      （修正有）【課題】家具類等における扉や引出し等の可動体を地震感知と同時に瞬時に自動的にロックする装置において、誤作動を皆無にしたロック装置を提供する。【解決手段】家具類の本体に取り付ける中空ケース１１０内に、ストッパーフランジ１３１付ロックシャフト１３０と転動球１４０を収容した震動感知ロック作動機構１００と、家具類における可動体Ｍに連結したストッパーアームにロックシャフトの下端部を収容してストッパーアームの平面作動を阻止する凹陥部２１２と収容したロックシャフトの下端部を押し上げるリセット具を設けた係合連結ロック機構２００とからなり、中空ケースの上部にはスライドバー１５０を前後進可能に収容し、スライドバーにはその後退限位置でストッパーフランジの直上になる位置に磁石１５２を配置し、スライドバーの前端部に磁着接触部１５１を、ストッパーアームの可動体Ｍ連結部に磁石２１４を配置した。【選択図】図１【図１】
0005458458.tif 000002
【図２】
0005458458.tif 000003
【図３】
0005458458.tif 000004
【図４】
0005458458.tif 000005
【図５】
0005458458.tif 000006
【図６】
0005458458.tif 000007
【図７】
0005458458.tif 000008
【図８】
0005458458.tif 000009
【図９】
0005458458.tif 000010